(57)【要約】  本発明の一つの態様による採光装置は、光透過性を有する基材と、基材の一面に設けられた光透過性を有する複数の採光部と、を有する採光フィルムを少なくとも備え、採光部が、採光部に入射した光を反射する反射面を有しており、反射面で反射して基材の第２面から射出される光が、基材の第２面に垂直、かつ採光部の延在方向に平行な仮想平面を境界とする２つの空間のうち、反射面に光が入射する側と同じ側の空間に向けて進行する特性を有してなり、隣り合う採光部どうしの間隔ｓが複数の水準に設定されている。
2018008656.tif 000002
【特許請求の範囲】
【請求項１】
光透過性を有する基材と、前記基材の第１面に設けられた光透過性を有する複数の採光部と、を有する採光フィルムを少なくとも備え、
前記採光部が、前記採光部に入射した光を反射する反射面を有しており、前記反射面で反射して前記基材の第２面から射出される光が、前記基材の前記第２面に垂直、かつ前記採光部の延在方向に平行な仮想平面を境界とする２つの空間のうち、前記反射面に光が入射する側と同じ側の空間に向けて進行する特性を有してなり、
隣り合う前記採光部どうしの間隔ｓが複数の水準に設定されている、採光装置。
【請求項２】
前記基材上における複数の前記採光部どうしの前記間隔ｓのうち少なくとも１つが、前記採光部の延在方向に交差する方向の幅Ｗ１よりも小さく、ｓ＜Ｗ１の関係を満たす、請求項１に記載の採光装置。
【請求項３】
前記基材上における複数の前記採光部どうしの前記間隔ｓのうち少なくとも１組が、以下に示す条件を満たす、
請求項１または２に記載の採光装置。
【数１】
2018008656.tif 000007
ここで、ｓ１、ｓ２は、前記基材上における複数の前記採光部の前記間隔ｓの２つであって、ｓ１はｓ２よりも大きい値を示す。
【請求項４】
前記複数の採光部の間には、光透過性あるいは光吸収性を有する小構造体が存在する、請求項１に記載の採光装置。
【請求項５】
前記小構造体が、前記採光部あるいは前記基材と同じ材料からなる、
請求項４に記載の採光装置。
【請求項６】
前記採光部は、前記基材の一面に対して互いに異なる向きに傾斜するとともに前記採光部の配列方向で互いに対向する、一対の傾斜面を少なくとも１組有し、
前記小構造体は、前記採光部における少なくとも前記一対の傾斜面を有する部分の形状に相似している、
請求項４または５に記載の採光装置。
【請求項７】
前記基材は、光路を変更させる部材と一体になっている、
請求項１に記載の採光装置。
【請求項８】
前記基材の屈折率が面内で分布を有している、
請求項１に記載の採光装置。
【請求項９】
前記複数の採光部の屈折率が前記基材の一面内で分布を有する、
請求項１に記載の採光装置。
【請求項１０】
光透過性を有する基材と、前記基材の第１面に設けられた光透過性を有する複数の採光部と、を有する採光フィルムを少なくとも備え、前記採光部が、前記採光部に入射した光を反射する反射面を有しており、前記反射面で反射して前記基材の第２面から射出される光が、前記基材の前記第２面に垂直、かつ前記採光部の延在方向に平行な仮想平面を境界とする２つの空間のうち、前記反射面に光が入射する側と同じ側の空間に向けて進行する特性を有してなり、隣り合う前記採光部どうしの間隔ｓが複数の水準に設定されている、前記採光フィルムの成形用金型において、
金属からなる本体部と、
前記本体部の一面側に設けられ前記複数の採光部に対応する複数の第１凹部と、を有し、
隣り合う前記第１凹部どうしの間隔ｕが前記間隔ｓに沿った複数の水準に設定されている、成形用金型。
【請求項１１】
前記本体部における複数の前記第１凹部どうしの間隔ｕのうち少なくとも１つが、が前記第１凹部の延在方向に交差する方向の幅Ｗ２よりも小さく、ｕ＜Ｗ２の関係を満たす、請求項１０に記載の成形用金型。
【請求項１２】
前記本体部における複数の前記第１凹部どうしの間隔ｕのうち少なくとも１組が、以下に示す条件を満たす、
請求項１０または１１に記載の成形用金型。
【数２】
2018008656.tif 000008
ここで、ｕ１、ｕ２は、前記本体部における複数の前記第１凹部の前記間隔ｕのうち値の小さい２つであって、ｕ２は最小値を示し、ｕ１はｕ２よりも大きい値を示す。
【請求項１３】
前記複数の第１凹部の間には、前記小構造体に対応する第２凹部が存在する、
請求項１０に記載の成形用金型。
【請求項１４】
請求項１０から１２のいずれか一項に記載の成形用金型を用いた採光フィルムの製造方法であって、
前記本体部の一面に、光透過性の樹脂を塗布して、前記第１凹部内に前記樹脂を充填する工程と、
前記樹脂を硬化して、前記樹脂からなる採光部を有する採光フィルムを形成する工程と、
前記成形用金型から前記採光フィルムを剥離する工程と、を有する採光フィルムの製造方法。
【請求項１５】
請求項１３に記載の成形用金型を用いた採光フィルムの製造方法であって、
前記樹脂を充填する工程において、前記第１凹部内および前記第２凹部内に前記光透過性の樹脂をそれぞれ塗布する、
請求項１４に記載の採光フィルムの製造方法。
【発明の詳細な説明】
【技術分野】
【０００１】
本発明の一つの態様は、採光装置および成形用金型、採光フィルムの製造方法に関するものである。
本願は、２０１６年７月４日に、日本に出願された特願２０１６−１３２６９５号に基づき優先権を主張し、その内容をここに援用する。
【背景技術】
【０００２】
窓ガラスに入射する光を効率よく屋内に導くための技術として、例えば、特許文献１に記載の技術が知られている。特許文献１の技術は、透光性の支持体の一方の面に採光機能を担う複数の単位プリズムを形成した採光フィルムを、窓ガラスの内面（屋内側の面）に貼り付けるものである。単位プリズム側から入射した光は、単位プリズムの表面で屈折し、単位プリズム、支持体および窓ガラスを透過して屋内に入射する。
【先行技術文献】
【特許文献】
【０００３】
【特許文献１】特開２０１１−１２３４７８号公報
【発明の概要】
【発明が解決しようとする課題】
【０００４】
しかしながら、窓が設置されている場所の緯度、方位の違い又は太陽高度によっては、天井への採光性が低下したり、室内に居る人の目線に光が分配されて不快な眩しさを感じさせてしまったりすることがある。以下の説明において、室内に居る人が眩しさを感じる光をグレアと言う。【０００５】
本発明の一つの態様は、上記従来技術の問題点に鑑み成されたものであって、グレアをより抑制することで室内に居る人に眩しさを感じさせない良好な室内環境を確保することができる採光装置および成形用金型を提供することを目的の一つとしている。
【課題を解決するための手段】
【０００６】
本発明における一態様の採光装置は、光透過性を有する基材と、前記基材の第１面に設けられた光透過性を有する複数の採光部と、を有する採光フィルムを少なくとも備え、前記採光部が、前記採光部に入射した光を反射する反射面を有しており、前記反射面で反射して前記基材の第２面から射出される光が、前記基材の前記第２面に垂直、かつ前記採光部の延在方向に平行な仮想平面を境界とする２つの空間のうち、前記反射面に光が入射する側と同じ側の空間に向けて進行する特性を有してなり、隣り合う前記採光部どうしの間隔ｓが複数の水準に設定されている。【０００７】
本発明における一態様の採光装置において、前記基材上における複数の前記採光部どうしの前記間隔ｓのうち少なくとも１つが、前記採光部の延在方向に交差する方向の幅Ｗ１よりも小さく、ｓ＜Ｗ１の関係を満たす構成としてもよい。【０００８】
本発明における一態様の採光装置において、前記基材上における複数の前記採光部どうしの前記間隔ｓのうち少なくとも１組が、以下に示す条件を満たす構成としてもよい。【０００９】
【数１】
2018008656.tif 000003
【００１０】
ここで、ｓ１、ｓ２は、前記基材上における複数の前記採光部の前記間隔ｓのうち値の小さい２つであって、ｓ２は最小値を示し、ｓ１はｓ２よりも大きい値を示す。【００１１】
本発明における一態様の採光装置において、前記複数の採光部の間には、光透過性あるいは光吸収性を有する小構造体が存在する構成としてもよい。【００１２】
本発明における一態様の採光装置において、前記小構造体が、前記採光部あるいは前記基材と同じ材料からなる構成としてもよい。【００１３】
本発明における一態様の採光装置において、前記採光部は、前記基材の一面に対して互いに異なる向きに傾斜するとともに前記採光部の配列方向で互いに対向する、一対の傾斜面を少なくとも１組有し、前記小構造体は、前記採光部における少なくとも前記一対の傾斜面を有する部分の形状に相似している構成としてもよい。【００１４】
本発明における一態様の採光装置において、前記基材は、光路を変更させる部材と一体になっている構成としてもよい。【００１５】
本発明における一態様の採光装置において、前記基材の屈折率が面内で分布を有している構成としてもよい。【００１６】
本発明における一態様の採光装置において、前記複数の採光部の屈折率が前記基材の一面内で分布を有する構成としてもよい。【００１７】
本発明における一態様の成形用金型は、光透過性を有する基材と、前記基材の第１面に設けられた光透過性を有する複数の採光部と、を有する採光フィルムを少なくとも備え、前記採光部が、前記採光部に入射した光を反射する反射面を有しており、前記反射面で反射して前記基材の第２面から射出される光が、前記基材の前記第２面に垂直、かつ前記採光部の延在方向に平行な仮想平面を境界とする２つの空間のうち、前記反射面に光が入射する側と同じ側の空間に向けて進行する特性を有してなり、隣り合う前記採光部どうしの間隔ｓが複数の水準に設定されている、前記採光フィルムの成形用金型において、金属からなる本体部と、前記本体部の一面側に設けられ前記複数の採光部に対応する複数の第１凹部と、を有し、隣り合う前記第１凹部どうしの間隔ｕが前記間隔ｓに沿った複数の水準に設定されている。【００１８】
本発明における一態様の成形用金型において、前記本体部における複数の前記第１凹部どうしの間隔ｕのうち少なくとも１つが、が前記第１凹部の延在方向に交差する方向の幅Ｗ２よりも小さく、ｕ＜Ｗ２の関係を満たす構成としてもよい。【００１９】
本発明における一態様の成形用金型において、前記本体部における複数の前記第１凹部どうしの間隔ｕのうち少なくとも１組が、以下に示す条件を満たす構成としてもよい。【００２０】
【数２】
2018008656.tif 000004
【００２１】
ここで、ｕ１、ｕ２は、前記本体部における複数の前記第１凹部の前記間隔ｕのうち値の小さい２つであって、ｕ２は最小値を示し、ｕ１はｕ２よりも大きい値を示す。【００２２】
本発明における一態様の成形用金型において、前記複数の第１凹部の間には、前記小構造体に対応する第２凹部が存在する構成としてもよい。【００２３】
本発明における一態様の成形用金型において、前記本体部の一面に、光透過性の樹脂を塗布して、前記第１凹部内に前記樹脂を充填する工程と、前記樹脂を硬化して、前記樹脂からなる採光部を有する採光フィルムを形成する工程と、前記成形用金型から前記採光フィルムを剥離する工程と、を有する製造方法としてもよい。【００２４】
本発明における一態様の成形用金型において、前記樹脂を充填する工程において、前記第１凹部内および前記第２凹部内に前記光透過性の樹脂をそれぞれ塗布する製造方法としてもよい。
【発明の効果】
【００２５】
本発明の一つの態様は、上記従来技術の問題点に鑑みなされたものであって、グレアをより抑制することで室内に居る人に眩しさを感じさせない良好な室内環境を確保することができる採光装置、採光装置を成形するための成形用金型、当該成形用金型を用いた採光フィルムの製造方法を提供することができる。
【図面の簡単な説明】
【００２６】
【図１】本発明の第１実施形態である採光装置の概略構成を示す断面図。
【図２】第１実施形態における採光装置の要部を拡大して示す断面図。
【図３】部屋モデルの一例を示す模式図。
【図４】採光装置に入射する入射光ＬＩＮの入射角θＩＮと、採光装置から射出される射出光ＬＯＵＴの射出角θＯＵＴとの定義について説明する図。
【図５Ａ】比較例としての採光フィルムの構成及び当該採光フィルムを透過する光の光路を示す図（微細構造が室外側）。
【図５Ｂ】比較例としての採光フィルムの構成及び当該採光フィルムを透過する光の光路を示す図（微細構造が室外側）。
【図５Ｃ】比較例としての採光フィルムの構成及び当該採光フィルムを透過する光の光路を示す図（微細構造が室内側）。
【図５Ｄ】比較例としての採光フィルムの構成及び当該採光フィルムを透過する光の光路を示す図（微細構造が室内側）。
【図６】比較例として図５Ａに示した採光フィルムの特性を説明するための図。
【図７】迷光グレアの射出角と光束との関係を示す図。
【図８】実施形態の採光フィルムの構成及び当該採光フィルムを透過する光の光路を示す図。
【図９】実施形態の採光フィルムの特性を説明するための図。
【図１０】本願実施形態における採光フィルム及び比較例としての採光フィルムにおける、迷光グレアの射出角と光束との関係を示す図。
【図１１】本願実施形態における採光フィルム及び比較例としての採光フィルムにおける、採光の射出角度と光束との関係を示す図。
【図１２】採光フィルムを製造するための成形用金型の構成を示す図。
【図１３】成形用金型を製作する際の様子を示す図。
【図１４】実施形態の成形用金型を用いて採光フィルムを製造する工程を示す図。
【図１５】第２実施形態の採光フィルムの概略を示す断面図。
【図１６】比較例としての採光フィルムの概略構成を示す断面図。
【図１７Ａ】比較例１としての採光フィルムの構成を示す図。
【図１７Ｂ】比較例２としての採光フィルムの構成を示す図。
【図１８】２つの採光フィルム（比較例１，２）において特定の角度に射出されるグレア光線の光束を示す図。
【図１９】第４実施形態の採光フィルムの概略構成を部分的に示す断面図。
【図２０Ａ】第４実施形態における採光フィルムの一部を透過する光の光路を示す図。
【図２０Ｂ】小構造体が存在しない領域を有する採光フィルムを透過する光の光路を示す図。
【図２１】第４実施形態における採光フィルムを製造するための成形用金型の構成を示す図。
【図２２Ａ】隣り合う採光部どうしの間隔内に複数の小構造体が設けられた構成を示す図。
【図２２Ｂ】隣り合う第２凹部どうしの間隔内に複数の第２凹部を有する成形用金型の構成を示す図。
【図２２Ｃ】隣り合う採光部どうしの間隔内に該間隔よりも幅の狭い小構造体が設けられた構成を示す図。
【図２２Ｄ】隣り合う第２凹部どうしの間隔内に該間隔よりも幅の狭い幅の小構造体が設けられた構成を示す図。
【図２３Ａ】採光フィルム内での間隔の分布を示すヒストグラム。
【図２３Ｂ】採光フィルム内での間隔の分布を示すヒストグラム。
【図２３Ｃ】採光フィルム内での間隔の分布を示すヒストグラム。
【図２３Ｄ】採光フィルム内での間隔の分布を示すヒストグラム。
【図２３Ｅ】採光フィルム内での間隔の分布を示すヒストグラム。
【図２３Ｆ】採光フィルム内での間隔の分布を示すヒストグラム。
【図２４】間隔ｓ１〜ｓ３がこの順に繰り返し配置された採光フィルムにおける光路及び輝度を示す図。
【図２５】間隔ｓ１〜ｓ３がランダムに配置された採光フィルムにおける光路及び輝度を示す図。
【図２６】間隔ｓ１〜ｓ３がエリア毎にまとめて配置された採光フィルムにおける光路及び輝度を示す図。
【図２７】一例として、採光フィルム内における間隔の配置を示す図。
【図２８】図２７に示す採光フィルムを室内に居る人から見た様子を示す図。
【図２９】実施例１の採光フィルムの構成を示す図。
【図３０】実施例２の採光フィルムの構成を示す図。
【図３１】実施例３の採光フィルムの構成を示す図。
【図３２】ロールスクリーンの概略構成を示す斜視図。
【図３３】図３２中に示すロールスクリーンのＥ−Ｅ’線に沿った断面図。
【図３４】ブラインドの概略構成を示す斜視図。
【図３５Ａ】ブラインドの概略構成を示す第１の斜視図。
【図３５Ｂ】ブラインドの概略構成を示す第２の斜視図。
【図３６】ブラインドが備える採光スラットの概略構成を示す断面図。
【図３７】ブラインドが備える採光スラットの向きを反転させた状態を示す断面図。
【図３８】採光スラットの変形例を示す断面図。
【図３９】採光装置及び照明調光システムを備えた部屋モデルであって、図４０のＪ−Ｊ’線に沿う断面図。
【図４０】部屋モデルの天井を示す平面図。
【図４１】採光装置によって室内に採光された光（自然光）の照度と、室内照明装置による照度（照明調光システム）との関係を示すグラフ。
【発明を実施するための形態】
【００２７】
［第１実施形態］
第１実施形態の採光装置について、以下の図面を用いて説明する。
図１は、本発明の第１実施形態である採光装置の概略構成を示す断面図である。図２は、第１実施形態における採光装置の要部を拡大して示す断面図である。図３は、部屋モデルの一例を示す模式図である。図４は、採光装置に入射する入射光ＬＩＮの入射角θＩＮと、採光装置から射出される射出光ＬＯＵＴの射出角θＯＵＴとの定義について説明する図である。
【００２８】
第１実施形態の採光装置１００は、例えば、窓ガラスに貼り付ける形態で太陽光を室内に採り入れる採光装置の一つの例である。
図１に示すように、採光装置１００は採光フィルム１を備えてなり、窓ガラス（被設置物）１００３の内面１００３ａ（室内側の面）に、例えば接着層８を介して、あるいは１００３ａ面に設けられる。
ここで、紙面の上下方向と、窓ガラス１００３に貼り合わされた採光フィルム１の上下方向（ＸＺ方向）とは一致する。
【００２９】
採光フィルム１は、図２に示すように、光透過性を有する第１基材２と、第１基材２の第１面２ａに設けられた光透過性を有する複数の採光部３と、を備えている。
複数の採光部３の間は間隙部４となっている。
本実施形態においては、複数の採光部３が形成された微細構造側を採光フィルム１の光入射面１ａとし、微細構造が形成されていない側を光射出面１ｂとしている。採光フィルム１は、光入射面１ａ側を図１に示した窓ガラス１００３に対向させた姿勢で使用される。
複数の採光部３は、第１基材２の第１面２ａ上にＺ方向へ互いに所定の間隔をおいて配置されている。本実施形態では、隣り合う採光部３どうしの間隔ｓが複数の水準に設定されている。
【００３０】
第１基材２としては、例えば熱可塑性ポリマーや熱硬化性樹脂、光重合性樹脂等の樹脂類等からなる光透過性の基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材が用いられる。具体的には、例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。
【００３１】
本実施形態では、一例として厚さが１００μｍのＰＥＴフィルムが用いられる。第１基材２の全光線透過率は、ＪＩＳ  Ｋ７３６１−１の規定で９０％以上が好ましい。これにより、十分な透明性を得ることができる。
【００３２】
第１基材２の厚みは任意であり、フィルム状あるいは板状であってもよい。また、複数の基材が積層されてなる積層構成であってもよい。
【００３３】
採光部３は、例えばアクリル樹脂やエポキシ樹脂、シリコーン樹脂等の光透過性および緩効性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。
【００３４】
本実施形態においては、熱インプリント法を用いて、複数の採光部３を第１基材２上に形成した。採光部３の形成方法としては、熱インプリント法に限らず、例えば、ＵＶインプリント法、熱プレス法、射出成型法、押出成形法、圧縮成型法等を用いてもよい。溶融押し出し法や型押し出し法などの方法では、第１基材２と採光部３とは同一の樹脂によって一体に形成される。
【００３５】
本実施形態では、採光部３の一例として、ポリメタクリル酸メチル（ＰＭＭＡ）を用いている。採光部３の全光線透過率は、ＪＩＳ  Ｋ７３６１−１の規定で９０％以上が好ましい。これにより、十分な透明性を得ることができる。
【００３６】
採光部３は、図２に示すように、一方向（図２の紙面と垂直な方向）に直線状に細長く延び、長手方向と直交する断面形状が多角柱形状をなす。採光部３は、その長手方向に交差する方向に切断した断面形状において５つの頂点を有し、全ての内角が１８０°未満とされた５角形である。複数の採光部３は、各々の長手方向が矩形状の第１基材２の一辺に平行するとともに、幅方向に並設されている。
【００３７】
具体的に、採光部３は、第１基材２の第１面２ａに対向する面３ａから最も離れた頂点ｑを通る面３ａの垂線Ｍを中心として、その両側の形状が非対称とされた、断面形状が５角形の多角柱状構造体である。すなわち、面３ｂ及び面３ｃを含む上部の体積に対して、面（反射面）３ｄ、面（反射面）３ｅを含む下部の体積の方が大きい形状となっている。
本実施形態では、複数の採光部３が、各々における面３ａの垂線Ｍを中心として体積の大きい側（面３ｄ及び面３ｅ側）を下方に統一した状態で並べられている。
【００３８】
なお、採光部３の断面形状は、五角形に限らず、三角形以上の多角形でかまわない。また、多角形以外でも多面体でもよい。すなわち、採光部３は、面３ａの任意の垂線を中心としてその両側の形状が非対称であればよい。採光フィルム１としては、断面形状において上部の体積に対して下部の体積が同等以上であるプリズム構造が連続して形成されていればよい。
【００３９】
接着層８には、一般的な光学接着剤が用いられる。接着層８の屈折率は、窓ガラス１００３の屈折率と等しいことが好ましい。これにより、採光フィルム１と窓ガラス１００３との界面において屈折が生じなくなる。
【００４０】
このような構成の採光フィルム１は、各採光部３の長手方向が水平方向を向き、複数の採光部３の配列方向が鉛直方向を向くようにして、接着層８を介して窓ガラス１００３の内面１００３ａに貼り付けられる。
【００４１】
太陽から直接届く光は、先ず、窓ガラス１００３に入射し、窓ガラス１００３を透過した後、採光装置１００に対して斜め上方から入射する。採光装置１００へ入射した光Ｌは、図２に示す採光フィルム１における各採光部３の面３ｃあるいは面３ｂにおいて屈折された後、面３ｄあるいは面３ｅにおいて全反射して斜め上方に向かって進み、第１基材２の第２面２ｂ（第２面２ｂと室内空間との界面）から天井へ向かって射出される。
【００４２】
ここで、説明の便宜上、図２に示す採光部３に入射した光のうち、任意の１本の光束が採光部３の面３ｅ（反射面）に入射する点を入射点Ｅとする。入射点Ｅを通り、第１基材２の第１面２ａに直交する仮想的な直線を直線ｆとする。直線ｆを含む水平面（仮想平面）を境界とする２つの空間のうち、入射点Ｅに入射する光Ｌが存在する側の空間を第１空間Ｋ１とし、入射点Ｅに入射する光Ｌが存在しない側の空間を第２空間Ｋ２とする。
【００４３】
例えば、採光部３の面３ｃから入射した光Ｌは、採光部３の面３ｅで全反射して斜め上方、すなわち第１空間Ｋ１の側に向かって進み、採光部３の面３ａから射出される。採光部３から射出された光Ｌは、第１基材２を透過して、採光フィルム１から室内の天井に向けて進行する。採光フィルム１から天井に向けて射出された光は、天井で反射して室内を照らすため、照明光の代わりとなる。したがって、このような採光フィルム１を用いた場合、日中に建物内の照明設備が消費するエネルギーを節約する省エネルギー効果が期待できる。
【００４４】
（部屋モデル）
ここで、図３に示す部屋モデル１０００を用いて採光装置１００の採光特性について説明する。部屋モデル１０００は、例えば、採光装置１００のオフィスでの使用を想定したモデルである。具体的に、図３に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光装置１００は、窓ガラス１００３の内面の上部側に貼り付けられている。
【００４５】
部屋モデル１０００では、室内１００６の高さ寸法（天井１００１から床１００２までの寸法）Ｈを２．７ｍとし、窓ガラス１００３の縦寸法Ｈ２を天井１００１から１．８ｍとし、採光フィルム１の縦寸法Ｈ１を天井１００１から０．６ｍとしている。
【００４６】
部屋モデル１０００では、室内１００６の中の方に椅子に座っている人Ｍａと、室内１００６の奥の方に床１００２に立っている人Ｍｂとがいる。椅子に座っている人Ｍａの眼の高さ下限Ｈａは、床１００２から０．８ｍとし、床１００２に立っている人Ｍｂの眼の高さ上限Ｈｂは、床１００２から１．８ｍとしている。
【００４７】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として採光フィルム１が貼り付けられていない窓ガラス１００３の下部側を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００４８】
例えば、採光装置１００から射出される光のうち、出射角が−４５°〜０°の範囲では、グレア光となり得る。
【００４９】
グレア領域Ｇは、人の移動する領域内における眼の位置に基づいて規定される領域である。たとえ、天井１００１側に進行する光によって室内１００６が明るく照明されたとしても、グレア領域Ｇに到達する光が多いと室内１００６に居る人が不快を感じやすくなる。
【００５０】
本実施形態の採光フィルム１は、窓ガラス１００３を通して室内１００６に入射する光Ｌのうち、グレア領域Ｇに向かう光の輝度を低減しながら、天井１００１に向かう光の輝度を相対的に高めることが可能となっている。天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００５１】
（入射角と射出角の定義）
次に、図４を用いて、採光装置１００に入射する入射光ＬＩＮの入射角θＩＮと、採光装置１００から射出される射出光ＬＯＵＴの射出角θＯＵＴとの定義について説明する。
なお、図４では、採光装置１００のうち採光フィルム１を中心に図示し、その他構成要素を省略している。
図４に示すように、入射光ＬＩＮの入射角θＩＮ及び射出光ＬＯＵＴの射出角θＯＵＴは、採光装置１００（採光フィルム１の第１基材２）の法線に沿った方向の角度を０°とし、天井１００１に向かう方向の角度を正（＋）とし、床１００２に向かう方向の角度を負（−）として定義する。
【００５２】
採光装置１００から射出される射出光ＬＯＵＴの射出角θＯＵＴが０°よりも大きければ、天井へ向かう光線となるが、射出角θＯＵＴが０°以下である場合は、窓ガラス１００３に対向する側壁１００５へ向かう光線となりグレア光線となり得る。
【００５３】
本実施形態の採光装置１００では、少なくとも採光フィルム１の各採光部３に入射した入射光ＬＩＮの入射角θＩＮが、採光フィルム１の法線に対して２０°≦θＩＮ≦５０°の範囲にあるとき、採光フィルム１から射出される射出光ＬＯＵＴの射出角θＯＵＴが、採光フィルム１の法線に対して入射光ＬＩＮと同じ側（＋側）に０°≦θＯＵＴ≦１５°となる範囲で、射出光ＬＯＵＴの輝度が相対的に高くなるように設定されている。
【００５４】
これにより、採光装置１００及び窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、採光装置１００及び窓ガラス１００３を通して室内１００６に入射した光Ｌを天井１００１に向けて効率良く照射することができる。また、室内１００６に居る人Ｍａ，Ｍｂに眩しさを感じさせることなく、天井１００１に向かう光Ｌを室内１００６の奥の方まで照射することができる。
【００５５】
さらに、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００５６】
また、本実施形態の採光装置１００では、図４に示すように、入射光ＬＩＮの入射角θＩＮの変動幅をΔθＩＮとし、射出光ＬＯＵＴの射出角θＯＵＴの変動幅をΔθＯＵＴとしたときに、２０°≦θＩＮ≦５０°となる範囲で、ΔθＩＮ＞ΔθＯＵＴの関係を満足することが好ましい。
【００５７】
この場合、太陽の高度変化に伴う室内１００６の照射位置の変動を抑制することができる。また、天井１００１に向かう光Ｌを室内１００６の奥の方まで長時間に亘って照射することができる。これにより、更なる省エネルギー効果が期待できる。
【００５８】
ここで、比較例としての採光フィルム９０１の構成及び当該採光フィルム９０１を透過する光の光路について述べる。図５Ａは、比較例としての採光フィルム９０１の構成及び当該採光フィルム９０１を透過する光の光路を示す図である。図５Ｂは、他の比較例としての採光フィルム９０４の構成及び当該採光フィルム９０４を透過する光の光路を示す図である。
【００５９】
図５Ａ及び図５Ｂに示すように、従来の採光フィルム９０１，９０４では、Ｚ方向で隣り合う採光部９０３，９０５どうしが一定の間隔ｓ（ｓ＞０）で配置されている。
図５Ａに示す採光フィルム９０１は、断面形状が五角形をなす複数の採光部９０３を備え、１つの採光部９０３の面３ａと第１基材９０２の第１面９０２ａとの接触長さ（ｚ方向）Ｗは約１５０μｍ、各採光部９０３どうしの間隔ｓが２０μｍとしてある。
図５Ｂに示す採光フィルム９０４は、断面形状が三角形をなす複数の採光部９０５を備え、１つの採光部９０５の面３ａと第１基材９０２の第１面９０２ａとの接触長さ（ｚ方向）Ｗは約１５０μｍ、各採光部９０５どうしの間隔ｓが２０μｍとしてある。
【００６０】
なお、採光部９０３，９０５の断面形状は図示した形状に限らない。
例えば、図５Ｃに示す採光フィルム９０６の採光部９０７のように、第１基材９０２の第２面９０２ｂに対向する面３ａから最も離れた頂点ｑを通る面３ａの垂線Ｍを中心として、その両側の形状が非対称とされた、断面形状が５角形の多角柱状構造体としてもよい。すなわち、面３ｂ，面３ｃ，面３ｄを含む上部の体積に対して、面３ｅ（反射面）を含む下部の体積の方が小さい形状となっていてもよい。
【００６１】
そして、図５Ａ及び図５Ｂに示す採光フィルム９０１，９０４の採光部９０３，９０５に入射した光は、第１基材９０２の第２面９０２ｂと空気層との界面において反射したのち、入射した採光部９０３，９０５よりも下位に位置する複数の採光部９０３，９０５において屈折されて、ある射出角θＯＵＴで室内へと射出される。このような光線「迷光グレア」が多数存在する場合、各光線が同じ射出角θＯＵＴで室内へ射出されると、室内に居る人に眩しさを感じさせてしまうことがある。
【００６２】
複数の採光部９０３，９０５が規則的に配置された構造においては、採光フィルム９０１，９０４に入射した光は、各採光部９０３，９０５の繰り返し配置に合わせて同じ光路をたどることになる。そのため、迷光グレアとなる光線が同じ射出角θＯＵＴに集中し、室内に居る人に不快を感じさせてしまう要因となっていた。
【００６３】
また、例えば図５Ｃ及び図５Ｄに示すように、複数の採光部９０７，９０５が形成された微細構造面を室内側へ向けて設置した場合でも、同様に迷光グレアが発生してしまう。
【００６４】
図６は、比較例として図５Ａに示した採光フィルム９０１の特性を説明するための図である。図７は、迷光グレアの射出角と光束との関係を示す図である。図７においては、採光部９０３どうしの間隔ｓを１０μｍとした場合の結果を示す。
図６に示すように、採光フィルム９０１から射出された射出光ＬＯＵＴのうち、射出角θＯＵＴが０°≦θＯＵＴ≦−４５°の範囲内において、人が眩しさを感じる下限レベルを超えた複数の光線によって形成されるグレア光束が多く存在する。従来の採光フィルム９０１では、図６及び図７に示すように、迷光グレアＬＯＵＴの射出角θＯＵＴが−２６°付近に集中していることが分かる。
【００６５】
図８は、本実施形態の採光フィルム１の構成及び当該採光フィルム１を透過する光の光路を示す図である。
図８に示すように、本実施形態の採光フィルム１では、Ｚ方向で隣り合う採光部３どうしの間隔ｓが一定ではなく、複数の水準に設定されている。具体的に、ここでは３つの異なる間隔ｓ１，ｓ２，ｓ３（間隔ｓ１＞間隔ｓ２＞間隔ｓ３）に設定されている。本実施形態では、間隔ｓ１を例えば１５μｍとし、間隔ｓ２を例えば１０μｍとし、間隔ｓ３を例えば５μｍとした。
【００６６】
採光フィルム１上において、３つの間隔ｓ１〜ｓ３がＺ方向で所定の順番で繰り返し存在するように採光部３を配置してもよいし、間隔ｓ１〜ｓ３がランダムに存在するように採光部３を配置してもよい。また、間隔ｓが０μｍの場合も含み、複数の採光部３のうち一部の採光部３どうしの端縁が互いに接していてもよい。
【００６７】
隣り合う採光部３どうしの配置間隔を異ならせることにより、各採光部３にそれぞれ入射した光線は、第１基材２の第２面２ｂと空気層との界面において反射したのち、入射した採光部３よりも下位に位置する他の採光部３へ入射する。複数の採光部３が一定の間隔で設けられた構成に比べて、本実施形態では隣り合う採光部３どうしの配置における規則性が低くなっている。そのため、採光部３を透過した光が界面反射した後に他の採光部３へ再入射する位置が変化する。つまり、採光フィルム１内を透光する光の光路が変化することにより、最終的に室内へ射出するときの射出角θＯＵＴが分散され、同じ角度で射出される迷光グレアのピークの光束が少なくなる。
【００６８】
図８に示すように、本実施形態の採光フィルム１の場合、複数の採光部３どうしの配置間隔を３つの間隔ｓ１〜ｓ３とすることによって、射出光の射出角θＯＵＴを複数の角度（射出角θＯＵＴ（１）≠射出角θＯＵＴ（２））に分散させることができた。
【００６９】
図９は、本実施形態の採光フィルム１の特性を説明するための図である。図１０は、本願実施形態における採光フィルム及び比較例としての採光フィルムにおける、迷光グレアの射出角と光束との関係を示す図である。
図９に示すように、採光フィルム１から射出された射出光ＬＯＵＴのうち、射出角θＯＵＴが０°≦θＯＵＴ≦−４５°の範囲内において、人が眩しさを感じる下限レベルを超えるような光線は殆ど存在しない。本実施形態の採光フィルム１は、図１０に示すように、従来の採光フィルム９０１において−２６°付近の射出角θＯＵＴに集中していた迷光グレアＬＯＵＴを、他の角度に分散させることができる。これにより、同じ角度で射出する迷光グレアのピークの光束を減らすことができる。
【００７０】
図１１は、本願実施形態における採光フィルム及び比較例としての採光フィルムにおける、採光の射出角度と光束との関係を示す図である。
図１１に示すように、採光フィルム１の採光特性は、比較例の採光フィルム９０１の採光特性と殆ど同じであって、室内の天井へ向けて射出される光の光束には大きな変化はない。つまり、隣り合う採光部３の配置間隔を複数水準に設定したとしても、採光方向への光束を維持することが可能である。
【００７１】
以上述べたように、本実施形態の構成によれば、グレア光束を形成する複数の光線を他の角度へ分散させることにより、室内のどこに居ても眩しさを感じさせない採光フィルム１となる。また、採光フィルム１では、採光特性をほぼ維持しつつ、迷光グレアのピークの光束を低減させることが可能である。
【００７２】
なお、本実施形態では、隣り合う採光部３の間隔ｓを３つの水準に設定したが、異なる２つの間隔、あるいはそれぞれ異なる４つ以上の間隔に設定してもよい。
また、本実施形態では、微細構造が形成された面を光入射面１ａとし、当該光入射面１ａを窓ガラス１００３（屋外）側へ向けて採光フィルム１を設置したが、図５Ｃあるいは５Ｄに示すように、複数の採光部３が形成された微細構造面を室内側へ向けて設置してもよい。この場合も、グレア光束を形成する複数の光線を他の角度へ分散させることができ、室内のどこに居ても眩しさを感じさせない採光フィルム１となる。
【００７３】
一方で、採光フィルム１における採光特性に関して言うと、複数の水準に設定された隣り合う採光部３どうしの間隔ｓには、従来の間隔ｓよりも大きい間隔あるいは小さい間隔も含まれるため、単位面積当たりの採光構造の密度、つまり採光部３の配置密度に増減が発生し、その分に比例して採光方向の光束が変動する程度である。
【００７４】
（採光フィルムの製造方法）
次に、採光フィルム１の製造方法について述べる。
採光フィルムの製造方法としては、金型を用いた成形方法（金型成形方法）が用いられている。本実施形態の採光フィルム１は、例えば、図１２に示すような成形用金型１２０を用いて形成される。
図１２は、採光フィルムを製造するための成形用金型の構成を示す図である。図１３は、成形用金型を製作する際の様子を示す図である。
図１２に示す成形用金型１２０は、金属からなる本体部１２１と、本体部１２１の一面１２１ａ側に形成された複数の第１凹部１２２と、を有している。
【００７５】
成形用金型１２０は、採光フィルム１の形状に相似した反転形状とする。そのため、複数の第１凹部１２２は、採光フィルム１における複数の採光部３の形状に対応している。
さらに、隣り合う第１凹部１２２の間隔ｕは、採光フィルム１における採光部３どうしの間隔ｓに沿った複数の水準に設定されている。本実施形態では異なる３つの間隔ｕに設定されており、間隔ｕ１＞間隔ｕ２＞間隔ｕ３の関係となっている。間隔ｕ１は上記間隔ｓ１に等しく、間隔ｕ２は上記間隔ｓ２に等しく、間隔ｕ３は上記間隔ｓ３に等しい。
【００７６】
なお、採光フィルム１における採光部３の間隔ｓが２つ、あるいは４つ以上の水準に設定されている場合は、それに応じて各第１凹部１２２の間隔ｕを複数の水準に設定する。
【００７７】
本実施形態の成形用金型１２０は、図１３に示すように、採光部３の外形と相似形をなす金型切削用バイト１２３を用いて、直方体状の金属からなる本体部１２１を切削することによって、採光部３に対応する第１凹部１２２を複数形成し、作成される。
【００７８】
図１４は、本実施形態の成形用金型１２０を用いて採光フィルム１を製造する工程を示す図である。
上述した成形用金型１２０を用いて本実施形態の採光フィルム１を製造する場合には、まず、図１４に示すように、複数の第１凹部１２２が形成された成形用金型１２０の一面１２１ａ上に、採光構造を形成するための樹脂１３０を塗布し、各第１凹部１２２内に樹脂１３０を充填する。樹脂１３０としては、熱硬化性樹脂や光硬化性樹脂を用いる。
【００７９】
次に、樹脂１３０が熱硬化性樹脂であれば、熱プレス加工によって樹脂１３０を硬化してフィルム状に形成する。あるいは、樹脂１３０が光硬化性樹脂であれば、光を照射することによって樹脂１３０を硬化してフィルム状に形成する。
その後、成形用金型１２０から硬化した樹脂１３０を剥離して、複数の採光部３が形成された採光フィルム１を得る。
本実施形態の採光フィルム１は、従来の採光フィルム９０１，９０４と比べて構成の追加や製造プロセスの追加がないため、コストや時間をかけずに製造することができる。
【００８０】
［第２実施形態］
次に、本発明の第２実施形態の採光フィルム２１の構成について説明する。
以下に示す本実施形態の採光フィルム２１の基本構成は、上記第１実施形態と略同様であるが、採光部どうしの間隔ｓの上限値を設定した点において異なる。よって、以下の説明では、先の実施形態と異なる部分について詳しく説明し、共通な箇所の説明は省略する。また、説明に用いる各図面において、先の実施形態の説明で用いた図と共通の構成要素には同一の符号を付すものとする。
【００８１】
図１５は、第２実施形態の採光フィルム２１の概略を示す断面図である。
図１５に示すように、本実施形態の採光フィルム２１は、隣り合う採光部３どうしの間隔ｓ１〜ｓ３が、採光部３の延在方向に交差する方向の幅Ｗ１よりも小さい間隔に設定されている（Ｗ１＞ｓ１＞ｓ２＞ｓ３）。このような関係を満たすことにより、採光フィルム２１から射出されるグレア光線が複数の角度に分散されて射出されることになる。
【００８２】
一方、図１６は、比較例としての採光フィルム９１０の概略構成を示す断面図である。
図１６に示すように、比較例としての採光フィルム９１０では、採光部９０３が配置されていない領域が存在する。この領域では、採光フィルム９１０において、複数の採光部９０３のうち隣り合う採光部９０３どうしの間隔ｓが最も大きい値となる。この間隔ｓを図中の符号ｓ９で示す。間隔ｓ９は、採光部９０３の延在方向に交差する方向の幅Ｗ１よりも大きい間隔となっている（Ｗ１＜ｓ９）。この様な構成の場合、採光部９０３の数が減ってしまう分、採光フィルム９１０としての採光機能が低下してしまう。
【００８３】
そのため、採光フィルム２１における隣り合う採光部３どうしの間隔ｓの上限を、採光部３の幅Ｗ１に設定する（ｓ＜Ｗ１）。これにより、採光フィルム２１における採光機能を低下させることなく、グレア抑制効果を得ることができる。
【００８４】
［第３実施形態］
次に、本発明の第３実施形態の採光フィルムの概要について説明する。
以下に示す本実施形態の採光フィルムの基本構成は、上記第１実施形態と略同様であるが、隣り合う採光部３どうしの間隔ｓの下限値を設定した点において異なる。よって、以下の説明では、先の実施形態と異なる部分について詳しく説明し、共通な箇所の説明は省略する。また、説明に用いる各図面において、先の実施形態の説明で用いた図と共通の構成要素には同一の符号を付すものとする。
【００８５】
採光フィルム１から射出される迷光グレアの光束は、採光フィルム１における突起構造や太陽位置（方位、高度）によって変化するため、採光部３どうしの間隔ｓよる輝度比の変化を幾何光学的に算出するのは困難である。
そこで、採光フィルム１における隣り合う採光部３どうしの間隔ｓをどのくらいに設定すれば迷光グレアとなる光線の低下を視認できるのか検討し、間隔ｓの下限値を設定することにした。
【００８６】
図１７Ａ、比較例１としての採光フィルム１Ａの構成を示す図である。図１７Ｂは、比較例２としての採光フィルム１Ｂの構成を示す図である。
先ず、隣り合う採光部３どうしの間隔が異なる２つの採光フィルム１Ａ，１Ｂを用意した。図１７Ａに示すように、１つ目の採光フィルム１Ａは、複数の採光部３が等間隔（間隔ｓ１で一定）に配置されている。図１７Ｂに示すように、２つ目の採光フィルム１Ｂは、複数の採光部３が等間隔（間隔ｓ２で一定）に配置されている。ここで、間隔ｓ２は、間隔ｓ１よりも小さい値であって、間隔ｓが０の場合も含む。
【００８７】
図１８は、上記した２つの採光フィルム１Ａ，１Ｂにおいて特定の角度に射出されるグレア光線の光束を示す図である。図１８においては、縦軸に迷光グレア光束（相対比）を示し、横軸に各採光部３の間隔ｓと幅Ｗ１の比率（ｓ／Ｗ１）を示す。
例えば、採光部３の幅Ｗ１を１５０μｍ、間隔ｓ１＝６．０μｍ、間隔ｓ２＝４．８μｍとすると、ｓ１／Ｗ１が０．０７５のときに迷光グレアの光束がＭａｘとなり、ｓ２／Ｗ１が０．０６のときに迷光グレアの光束がＭａｘの０．８倍となった。
【００８８】
ここで、室内に居る人がグレア光束が減ったことを実感できるレベルは、人間の目が識別できる相対輝度比が明所視において２０％となる場合である。つまり、採光フィルムにおいて最も明るい部分に対して２０％輝度が低い部分が含まれていれば、輝度比に差があることを認識することができて迷光グレアが改善されたことになる。
【００８９】
１つの採光フィルム１における複数の採光部３の配置に関して、光束の比率が２０％となる間隔ｓ１と間隔ｓ２とが含まれるような配置にすると、グレア光束のピークの低減を期待することができる。
【００９０】
よって、採光フィルム１（第１基材２）上における複数の採光部３どうしの間隔ｓ（複数水準）のうち、少なくとも１組が、以下に示す条件を満たすように構成する。
【００９１】
【数３】
2018008656.tif 000005
【００９２】
ここで、ｓ１，ｓ２は、第１基材２上における複数の採光部３の間隔ｓの２つであって、ｓ１はｓ２よりも大きい値を示す（ｓ１＞ｓ２）。
【００９３】
本実施形態では、採光部３に含まれる間隔ｓ１と間隔ｓ２との比率の差を１．５％以上であることが好ましい。
すると、採光部３の幅Ｗ１が１５０μｍのとき、幅Ｗ１に対する間隔ｓ１と間隔ｓ２との比率差は２．２５μｍに相当する。
【００９４】
（成形用金型）
図１２に示したように、採光フィルム１を形成するための成形用金型１２０としては、本体部１２１における複数の第１凹部１２２どうしの各間隔ｕ１〜ｕ３が、第１凹部１２２の延在方向（Ｘ方向）に交差する方向（Ｚ方向）の幅Ｗ２よりもそれぞれ小さく、間隔ｕ１〜ｕ３＜幅Ｗ２の関係を満たす構成となっている。
【００９５】
上述した採光フィルム１を形成するための成形用金型１２０としては、成形用金型１２０における各間隔ｕ（複数水準）のうちの少なくとも１組が、以下に示す条件を満たしていることが好ましい。
【００９６】
【数４】
2018008656.tif 000006
【００９７】
ここで、ｕ１，ｕ２は、本体部１２１における複数の第１凹部１２２の間隔ｕの２つであって、ｕ１はｕ２よりも大きい値を示す（ｕ１＞ｕ２）。
【００９８】
このような成形用金型１２０を用いることにより、迷光グレアのピークの光束の低減に有効な採光フィルム１を得ることができる。
【００９９】
［第４実施形態］
次に、本発明の第４実施形態の採光フィルム４１の構成について説明する。
以下に示す本実施形態の採光フィルム４１の基本構成は、上記第１実施形態と略同様であるが、採光フィルム４１に複数の小構造体４４がさらに設けられている点において異なる。よって、以下の説明では、先の実施形態と異なる部分について詳しく説明し、共通な箇所の説明は省略する。また、説明に用いる各図面において、先の実施形態の説明で用いた図と共通の構成要素には同一の符号を付すものとする。
【０１００】
図１９は、第４実施形態の採光フィルム４１の概略構成を部分的に示す断面図である。
図１９に示すように、本実施形態の採光フィルム４１は、隣り合う採光部３どうしの間に、光透過性を有する小構造体４４が設けられた構成となっている。小構造体４４は、採光部３に隣接して設けられ、採光部３と同一の材料からなる。
【０１０１】
採光フィルム４１において、小構造体４４の第１基材２の第１面２ａを基準とする高さｈ２（第１基材２の法線方向（Ｙ方向）における小構造体４４の高さｈ２）は、採光部３の第１基材２の第１面２ａを基準とする高さｈ１（第１基材２の法線方向（Ｙ方向）における小構造体４４の高さｈ２）よりも低くなっている。採光フィルム４１において、採光部３の間隙部４に小構造体４４が配置されている。（幅Ｗ３は、間隔ｓ以下であればよい。）
【０１０２】
採光部３は、第１基材２の第１面２ａに対して互いに異なる向きに傾斜するとともに、採光部３の配列方向で互いに対向する一対の面３ｃ、３ｄと、採光部３の配列方向で互いに対向する一対の面３ｂ、３ｅとを有している。
小構造体４４は、第１基材２の第１面２ａに対して互いに異なる向きに傾斜するとともに、採光部３（小構造体４４）の配列方向で互いに対向する一対の傾斜面４４ａ、４４ｂを有している。
【０１０３】
採光部３の面３ｃと、第１基材２の第１面２ａとのなす角度を角度α１としたとき、複数の採光部３の角度α１は、全て等しくなっている。採光部３の面３ｄと、第１基材２の第１面２ａとのなす角度を角度α２としたとき、複数の採光部３の角度α２は、全て等しくなっている。採光部３の角度α１は、例えば、６０°〜８０°である。採光部３の角度α２は、例えば、３５°〜６０°である。
【０１０４】
小構造体４４の短手方向の幅をＷ３とすると、本実施形態における複数の小構造体４４の短手方向の幅Ｗ３は全て等しい値にはなっていない。上記実施形態と同様に、複数の採光部３の間隔ｓが複数の水準に設定され、例えば３つの間隔（間隔ｓ１＞間隔ｓ２＞間隔ｓ３）に設定されている。また、上記実施形態では、採光フィルム４１の上下方向（Ｚ方向）に間隔ｓ１，間隔ｓ２，間隔ｓ３がこの順に存在するよう構成されているが、本実施形態では、採光フィルム４１の上下方向（Ｚ方向）に間隔ｓ２（図示略），間隔ｓ１，間隔ｓ３の順で存在する。なお、異なる間隔ｓ１、ｓ２（図示略）、ｓ３の順番は用途によって適宜設定する。
【０１０５】
そのため、小構造体４４の短手方向の幅Ｗ３は、採光部３どうしの間隔ｓと等しくなくてよい。小構造体４４の高さｈ２が、採光部３の高さｈ１よりも低くなる範囲で、小構造体４４は配置される。小構造体４４の短手方向の幅Ｗ３についても３つの水準に設定されている。各小構造体４４の短手方向の幅Ｗ３は、採光部３の短手方向の幅Ｗ１よりも小さい（Ｗ３＜Ｗ１）。
【０１０６】
小構造体４４は、採光部３における先端側の形状、つまり一対の面３ｃ、３ｄを有する部分の形状とほぼ相似している。小構造体４４の傾斜面４４ａと、第１基材２の第１面２ａとのなす角度を角度α３としたとき、複数の小構造体４４の角度α３は、ほぼ等しくなっている。小構造体４４の傾斜面４４ｂと、第１基材２の第１面２ａとのなす角度を角度α４としたとき、複数の小構造体４４の角度α４は、ほぼ等しくなっている。小構造体４４の角度α３は、採光部３の角度α１とほぼ等しくなっている。小構造体４４の角度α４は、採光部３の角度α２とほぼ等しくなっている。
【０１０７】
図２０Ａは、第４実施形態における採光フィルム４１を透過する光の光路を示す図である。
図２０Ｂは、小構造体が存在しない領域を有する採光フィルム９１１を透過する光の光路を示す図である。
図２０Ａに示すように、例えば、採光フィルム４１の上方から差し込んだ光のうち、採光部３の面３ｃから入射した光Ｌ１は、第１基材２の第２面２ｂで屈折し、採光フィルム４１の下方に向けて射出される。その結果、第１基材２を射出した光線はグレアとならない（出射角が−４５°以下となり、グレアの範囲より下を通る）。
【０１０８】
比べて、図２０Ｂに示す採光フィルム９１１において、隣り合う採光部３どうしの間隔ｓは採光部３の短手方向の幅Ｗ１よりも大きい。この採光フィルム９１１における小構造体４４が存在しない位置を通過した光線Ｌ５は、第２面２ｂを出射した後、グレアとなる。
【０１０９】
一方、図２０Ａに示す採光フィルム４１の上方から差し込んだ光のうち、採光部３の面３ｄから、採光部３の内部に入射した光Ｌ３は、第１基材２の第２面２ｂで屈折し、採光フィルム４１の上方に向けて射出される。
また、採光フィルム４１の上方から差し込んだ光のうち、小構造体４４の傾斜面４４ｂから、小構造体４４の内部に入射した光Ｌ４は、第１基材２の第２面２ｂで屈折し、採光フィルム４１の上方に向けて射出される。
【０１１０】
このように採光フィルム４１の上方に向けて射出された光は、屋内の天井や屋内の奥の方まで導かれ、屋内を明るく照らす。
【０１１１】
本実施形態の採光フィルム４１は、第１基材２の第１面２ａにおいて隣り合う採光部３どうしの間に、採光部３と同一の材質からなるとともに採光部３のテーパ形状とほぼ相似する小構造体４４を複数設け、小構造体４４の角度α３が採光部３の角度α１とほぼ等しくなっており、小構造体４４の角度α４が採光部３の角度α２とほぼ等しくなっている。
このため、小構造体４４の内部に入射した光Ｌ２、Ｌ４を、採光部３の内部に入射した光Ｌ１、Ｌ３と同様に、採光フィルム４１の上方に向けて射出させることができる。よって、外光を、屋内の天井に向けて進行させることができ、屋内に居る人に眩しさを感じさせることを抑制することができる。
【０１１２】
（成形用金型）
図２１は、第４実施形態における採光フィルムを製造するための成形用金型の構成を示す図である。
図２１に示すように、成形用金型１２５は、本実施形態における採光フィルム４１の形状に相似した反転形状とする。本体部１２１の一面１２１ａ側には、採光部３の形状に対応する複数の第１凹部１２２と、小構造体４４の形状に対応する複数の第２凹部１２４と、が形成されている。
【０１１３】
第２凹部１２４は、隣り合う第１凹部１２２どうしの間に形成されている。隣り合う第２凹部１２４どうしの間隔ｕは、採光フィルム１における採光部３どうしの間隔ｓに沿った複数の水準に設定されており、採光フィルム４１における複数の小構造体４４の形状に沿って各第２凹部１２４の大きさも異なっている。
【０１１４】
上述した成形用金型１２５を用いて本実施形態の採光フィルム４１を製造する場合には、先の実施形態と同様に、成形用金型１２５上に樹脂を塗布し、当該樹脂に対して熱プレス加工または光照射硬化を施すことによって採光フィルム４１を得る。
【０１１５】
なお、本実施形態では、小構造体４４が光透過性を有しているが、これに限られず、光吸収性を有していてもよい。
また、本実施形態では、小構造体４４が採光部３（第１基材２）と同じ材料から形成されているとしたが、第１基材２と異なる材料で形成してもよい。
【０１１６】
なお、本実施形態では、複数の採光部３どうしの間の間隔ｓに、１つの小構造体４４が設けられている場合を例示したが、本実施形態はこれに限定されない。
例えば、図２２Ａに示すように、複数の採光部３どうしの間の少なくとも１つの間隔ｓ内に、２つ以上の小構造体４４が設けられていてもよい。このような採光フィルム８０は、図２２Ｂに示す成形用金型１２６を用いて得ることができる。
また、図２２Ｃに示すように、複数の採光部３どうしの間の少なくとも１つの間隔ｓ内に、間隔ｓよりも小さい幅Ｗ３を有する小構造体４４が設けられていてもよい。つまり、小構造体４４の幅Ｗ３よりも隣り合う採光部３どうしの間の間隔ｓが広い部分が存在していても構わない。このような採光フィルム８１は、図２２Ｄに示す成形用金型１２７を用いて得ることができる。
【０１１７】
［第５実施形態］
次に、本発明の第５実施形態の採光フィルムの構成について説明する。
以下に示す本実施形態の採光フィルムの基本構成は、上記第１実施形態と略同様であるが、採光フィルムにおける間隔ｓの分布において異なる。よって、以下の説明では、先の実施形態と異なる部分について詳しく説明し、共通な箇所の説明は省略する。また、説明に用いる各図面において、先の実施形態の説明で用いた図と共通の構成要素には同一の符号を付すものとする。
【０１１８】
図２３Ａ〜図２３Ｆは、採光フィルム内での間隔の分布を示すヒストグラムである。横軸は間隔ｓを示し、縦軸は採光フィルム内での間隔の度数を示している。
採光フィルムにおける間隔ｓの分布バリエーションとしては、図２３Ａ及び図２３Ｂに示すように所定の間隔をおいて分布させてもよい。また、図２３Ｃに示すようにある程度の範囲内に同じ度数で間隔を均等に分布させてもよい。また、図２３Ｄ及び図２３Ｅに示すように間隔ｓに対して度数が連続的に増減するように分布させてもよい。また、図２３Ｆに示すように全くランダムに間隔ｓを分布させてもよい。
【０１１９】
採光フィルムにおける微細構造（採光部の形状）によって迷光グレアの光路が異なるので、迷光グレアの射出角度が分散するように、上記微細構造に合わせて採光部どうしの間隔ｓを任意に設定すればよい。
【０１２０】
次に、採光フィルム内での間隔の配置による輝度分布について述べる。
図２４は、間隔ｓ１〜ｓ３がこの順に繰り返し配置された採光フィルムにおける光路及び輝度を示す図である。
図２４に示すように、採光フィルム内において、例えば、間隔ｓ１〜ｓ３が規則的に繰り返し配置された構成の場合、各間隔ｓ１〜ｓ３の大きさに応じて異なる輝度の射出光が採光フィルムから射出される。この場合、室内に居る人は、採光フィルムから数ｍ程度離れた距離から採光フィルム（採光装置）を見るので、ある程度の領域（間隔ｓ１〜間隔ｓ３を少なくとも一つずつ含む領域）での平均化された輝度の光を見ることになる。
【０１２１】
図２５は、間隔ｓ１〜ｓ３がランダムに配置された採光フィルムにおける光路及び輝度を示す図である。
図２５に示すように、採光フィルム内において、例えば、間隔ｓ１〜ｓ３がランダムに配置された構成の場合、輝度の異なる射出光がランダムに射出される。室内に居る人が採光フィルムを見た場合には、均一な輝度の光を見ることになる。
【０１２２】
図２６は、間隔ｓ１〜ｓ３がエリア毎にまとめて配置された採光フィルムにおける光路及び輝度を示す図である。
図２６に示すように、採光フィルム内において、例えば、間隔ｓ１が複数配置されたエリアＡ１、間隔ｓ２が複数配置された領域Ａ２、間隔ｓ３が複数配置された領域Ａ３、を有する構成の場合、エリアＡ１，Ａ２，Ａ３ごとに異なる輝度の光が射出されることになる。この場合、採光フィルムから射出された光には、エリアＡ１，Ａ２，Ａ３ごとに異なる輝度分布が現れる。
以上述べたように、複数設定された間隔ｓの配置の仕方によって、迷光グレアによる輝度分布に違いが生じるので、用途によって配置を設定すればよい。
【０１２３】
［第６実施形態］
次に、本発明の第６実施形態の採光フィルムの構成について説明する。
以下に示す本実施形態の採光フィルムの基本構成は、上記第１実施形態と略同様であるが、採光フィルムからの射出光に意匠性を付与した点において異なる。よって、以下の説明では、先の実施形態と異なる部分について詳しく説明し、共通な箇所の説明は省略する。また、説明に用いる各図面において、先の実施形態の説明で用いた図と共通の構成要素には同一の符号を付すものとする。
【０１２４】
図２７は、一例として、採光フィルム内における間隔の配置を示す図である。図２８は、図２７に示す採光フィルムを室内に居る人から見た様子を示す図である。
図２７に示すように、採光フィルム内において、例えば、間隔ｓ１〜間隔ｓ３をこの順で繰り返し配置した構成の場合、図２８に示すように室内に居る人が採光フィルムを見たときに、間隔ｓ１〜間隔ｓ３の大きさに応じて射出光の輝度（明暗）が異なる。
【０１２５】
このように、採光フィルム内における間隔ｓの配置をエリアＡ１，Ａ２，Ａ３毎に調整することで、迷光グレアの射出光束の明暗の差を利用することができるので、採光フィルムに対して任意にデザイン性を付与することができる。
【０１２６】
［第７実施形態］
次に、本発明の第７実施形態の採光フィルムの構成について、実施例１〜３を例に挙げて説明する。
［実施例１］
図２９は、実施例１の採光フィルムの構成を示す図である。
図２９に示す採光フィルム７３は、採光フィルム７３内において屈折率に分布を持たせる構成とされている。具体的に、本実施例における採光フィルム７３は、領域ごとに異なる屈折率を有する材料を用いて形成され、ｎ１の屈折率を有する材料を用いて形成した第１領域Ｒ１と、ｎ２の屈折率を有する材料を用いて形成した第２領域Ｒ２と、を有する。
この構成によれば、採光フィルム７３の第１領域Ｒ１に入射した光の光路と、第２領域Ｒ２に入射した光の光路とを変えることができる。
【０１２７】
［実施例２］
図３０は、実施例２の採光フィルムの構成を示す図である。
図３０に示す採光フィルム７４は、複数の採光部３のうち一部の採光部３Ｂが、他の採光部３Ａ及び第１基材２と屈折率の異なる材料から構成されている。これにより、屈折率ｎ１の材料からなる採光部３Ａ及び第１基材２だけを透過する光の光路と、屈折率ｎ１の材料からなる採光部３Ａ及び第１基材２だけでなく、屈折率ｎ２の材料からなる採光部３Ｂも透過する光の光路とを変えることができる。
【０１２８】
［実施例３］
図３１は、実施例３の採光フィルムの構成を示す図である。
図３１に示す採光フィルム７５は、第１基材２の第２面２ｂ側に屈折率がそれぞれ異なる複数の板部材７６Ａ，７６Ｂ，７６Ｃを設けて構成されている。採光フィルム７５に板部材７６Ａ，７６Ｂ，７６Ｃを貼り合わせるだけでいいので、光路変更の調整が容易であるとともに製造が容易である。
以上述べたように、本実施形態における採光フィルム７５によれば、複数の採光部３の間隔ｓを複数水準にするとともに、採光フィルム７５内で屈折率を部分的に異ならせることにより、迷光グレアのピークの光束をより低減させることが可能である。
【０１２９】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１３０】
［第８実施形態］
（ロールスクリーン）
次に、本発明の第８実施形態として、例えば、図３２及び図３３に示すロールスクリーン（採光装置）３０１について説明する。
なお、図３２は、ロールスクリーン３０１の概略構成を示す斜視図である。図３３は、図３２中に示すロールスクリーン３０１のＥ−Ｅ’線に沿った断面図である。また、以下の説明では、上記採光フィルム１と同等の部位については、説明を省略するとともに、図面において同じ符号を付すものとする。
【０１３１】
ロールスクリーン３０１は、図３２及び図３３に示すように、採光スクリーン３０２と、採光スクリーン３０２を巻き取り自在に支持する巻き取り機構３０３とを備えている。
【０１３２】
採光スクリーン３０２は、図３２に示すように、光透過性を有するフィルム状（シート状）の第１基材２と、第１基材２の第１面２ａに並んで形成された複数の採光部３と、複数の採光部３の各々の間に形成された複数の間隙部４とを備えた採光部材３００と、を備え、採光部材３００を通して外光を採り入れるものである。採光スクリーン３０２は、上記採光フィルム１と基本的に同じ構造を有している。但し、第１基材２の厚みについては、ロールスクリーン３０１に適した厚みとなっている。
【０１３３】
図３２に示すように、巻き取り機構３０３は、採光スクリーン３０２の上端部に沿って取り付けられた巻芯（支持部材）３０４と、採光スクリーン３０２の下端部に沿って取り付けられた下パイプ（支持部材）３０５と、採光スクリーン３０２の下端部中央に取り付けられた引張りコード３０６と、巻芯３０４に巻き取られた採光スクリーン３０２を収納する収納ケース３０７とを備えている。
【０１３４】
巻き取り機構３０３は、プルコード式として、採光スクリーン３０２を引っ張り出した位置で固定させたり、引っ張り出した位置からさらに引張りコード３０６を引っ張ることで、固定を解除して採光スクリーン３０２を巻芯３０４に自動的に巻き取らせたりすることが可能である。なお、巻き取り機構３０３については、このようなプルコード式に限らず、巻芯３０４をチェーンで回転させるチェーン式の巻き取り機構や、巻芯３０４をモータにより回転させる自動式の巻き取り機構等であってもよい。
【０１３５】
以上のような構成を有するロールスクリーン３０１は、窓ガラス３０８の上部に収納ケース３０７を固定した状態で、この収納ケース３０７に収納された採光スクリーン３０２を引張りコード３０６で引っ張り出しながら、窓ガラス３０８の内面に対向させた状態で使用される。このとき、採光スクリーン３０２は、窓ガラス３０８に対して複数の採光部３の並び方向が窓ガラス３０８の縦方向（鉛直方向）と一致する向きで配置される。つまり、採光スクリーン３０２は、窓ガラス３０８に対して複数の採光部３の長手方向が窓ガラス３０８の横方向（水平方向）と一致するように配置される。
【０１３６】
窓ガラス３０８の内面に対向させた採光スクリーン３０２は、窓ガラス３０８を通して室内に入射した光を複数の採光部３で光の進行方向を変えながら、室内の天井に向けて照射する。また、天井に向かう光は、天井で反射して室内を照らすため、照明光の代わりとなる。したがって、このようなロールスクリーン３０１を用いた場合、日中に建物内の照明設備が消費するエネルギーを節約する省エネルギー効果が期待できる。
【０１３７】
以上のように、本実施形態のロールスクリーン３０１を用いた場合には、屋外の自然光（太陽光）を室内に効率よく取り入れるとともに、室内に居る人に眩しさを感じさせずに、室内の奥の方まで明るく感じさせることができ、なおかつ太陽の高度変化に伴う照射位置の変動を抑制することが可能である。
【０１３８】
また、本発明の実施形態に係るロールスクリーンとしては、図示を省略するものの、上記ロールスクリーン３０１の構成に加えて、第１基材２の第２面２ｂ側に、例えば、グレア領域Ｇに向かう方向の光を拡散させるための光拡散フィルムや、自然光（太陽光）の輻射熱を遮断するための光透過性を有する断熱フィルムなどの機能性フィルムを配置した構成とすることも可能である。
【０１３９】
［第９実施形態］
（ブラインド）
次に、本発明の第９実施形態として、例えば、図３４に示すブラインド（採光装置）４０１について説明する。
図３４は、ブラインドの概略構成を示す斜視図である。図３５Ａ、図３５Ｂは、ブラインド４０１の概略構成を示す斜視図であり、図３５Ａは、ブラインド４０１の開状態を示し、図３５Ｂは、ブラインド４０１の閉状態を示す。図３５Ａ，図３５Ｂは、複数の採光スラット４０２の概略構成を示す図である。
また、以下の説明では、上記採光フィルム１と同様の部位については説明を省略するとともに、図面において同じ符号を付すものとする。
【０１４０】
ブラインド４０１は、図３４に示すように、所定の間隔を空けて並んで配置された複数の採光スラット４０２と、複数の採光スラット４０２を互いに傾動自在に支持する傾動機構（支持機構）４０３と、傾動機構（支持機構）４０３によって連結された複数の採光スラット４０２を出し入れ可能に折り畳んで収納する収納機構４０８と、を備えている。
【０１４１】
複数の採光スラット４０２は、図３５Ａ、図３５Ｂ及び図３６に示すように、光透過性を有する長尺板状の第１基材２と第１基材２の第１面２ａに並んで形成された複数の採光部３と、複数の採光部３の各々の間に形成された複数の間隙部４とを備えた採光部材である。各採光スラット４０２は、上記採光フィルム１と基本的に同じ構造を有している。
但し、第１基材２の形状については、上述した各実施形態の採光フィルムや採光スクリーンとは異なっている。
【０１４２】
傾動機構４０３は、複数のラダーコード４０４を備えている。複数のラダーコード４０４は、図示を省略するものの、採光スラット４０２の長手方向に並ぶことによって、複数の採光スラット４０２を支持している。具体的に、ラダーコード４０４は、互いに平行に並ぶ一対の縦コード４０５ａ、４０５ｂと、縦コード４０５ａ、４０５ｂの間に掛け渡されるとともに、縦コード４０５ａ、４０５ｂの長手方向に等間隔に並ぶ複数の横コード４０６とを有している。また、ラダーコード４０４は、横コード４０６を構成する一対の保持コード４０７ａ，４０７ｂにより採光スラット４０２を挟み込みながら、採光スラット４０２を縦コード４０５ａ，４０５ｂの間で保持している。
【０１４３】
傾動機構４０３は、図示を省略するものの、一対の縦コード４０５ａ，４０５ｂを互いに逆向きに上下方向に移動操作する操作機構を備えている。そして、傾動機構４０３では、この操作機構による一対の縦コード４０５ａ，４０５ｂの移動操作によって、複数の採光スラット４０２を互いに同期させながら傾動させることが可能となっている。
【０１４４】
以上のような構成を有するブラインド４０１は、窓ガラス（図示せず。）の上部から吊り下げられた状態で、この窓ガラスの内面に対向させた状態で使用される。このとき、各採光スラット４０２は、窓ガラスに対して複数の採光部３の並び方向が窓ガラスの縦方向（鉛直方向）と一致する向きで配置される。換言すると、採光スラット４０２は、窓ガラスに対して複数の採光部３の延長方向が窓ガラスの横方向（水平方向）と一致するように配置される。
【０１４５】
図３６に示すように、窓ガラスの内面に対向させたブラインド４０１は、この窓ガラスを通して室内に入射した光Ｌを複数の採光部３で光の進行方向を変えながら、屋内の天井に向けて照射する。また、天井に向かう光Ｌは、天井で反射して室内を照らすため、照明光の代わりとなる。したがって、このようなブラインド４０１を用いた場合、日中に建物内の照明設備が消費するエネルギーを節約する省エネルギー効果が期待できる。
【０１４６】
また、ブラインド４０１では、複数の採光スラット４０２を傾動させることによって、天井に向かう光Ｌの角度を調整することができる。さらに、複数の採光スラット４０２の間から入射する光を調整することができる。
【０１４７】
また、ブラインド４０１では、図３７に示すように、採光スラット４０２の向きを１８０°反転させた場合でも、採光スラット４０２の向きを反転させる前と同様に、窓ガラスを通して室内に入射した光Ｌを複数の採光部３で光の進行方向を変えながら、屋内の天井に向けて照射することができる。
【０１４８】
また、図３８に示すように、長尺板状の第１基材２の第２面２ｂ側に長尺板状のスラット部材４０９を別途設けてもよい。この場合、第１基材２とスラット部材４０９との屈折率が略同等であることが望ましい。
【０１４９】
以上のように、本実施形態のブラインド４０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１５０】
なお、本発明は、上記第９実施形態のブラインド４０１の構成に必ずしも限定されるものではなく、本発明の趣旨を逸脱しない範囲において種々の変更を加えることが可能である。
【０１５１】
例えば、本発明の実施形態に係るブラインドとしては、図示を省略するものの、上記ブラインド４０１の構成に加えて、第１基材２の第２面２ｂ側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１５２】
また、本発明の実施形態に係るブラインドとしては、上記採光スラット４０２と共に、遮光性を有する遮光スラットを組み合わせて使用することも可能である。この場合、複数の採光スラット４０２により構成される採光部と、この採光部の下方に位置して、複数の遮光スラットにより構成される遮光部とを備えた構成とする。この構成により、窓ガラスを通して室内に入射した光を、採光部を構成する複数の採光スラット４０２によって屋内の天井に向けて照射すると共に、遮光部を構成する複数の遮光スラットによってグレア領域に向かう光を遮光することができる。
【０１５３】
［照明調光システム］
図３９は、採光装置及び照明調光システムを備えた部屋モデル２０００であって、図４０のＪ−Ｊ’線に沿う断面図である。図４０は、部屋モデル２０００の天井を示す平面図である。
【０１５４】
部屋モデル２０００において、外光が導入される部屋２００３の天井２００３ａを構成する天井材は、高い光反射性を有していてもよい。図３９及び図４０に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１５５】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１５６】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１５７】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１５８】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１５９】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１６０】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１６１】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１６２】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１６３】
図３９及び図４０に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１６４】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１６５】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１６６】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１６７】
図４１は、採光装置によって室内に採光された光（自然光）の照度と、室内照明装置による照度（照明調光システム）との関係を示すグラフである。図４１において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【０１６８】
図４１に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。
【０１６９】
従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１７０】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【０１７１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【０１７２】
本発明の一つの態様は、グレアをより抑制することで室内に居る人に眩しさを感じさせない良好な室内環境を確保することが必要な採光装置、採光装置を成形するための成形用金型、当該成形用金型などに適用することができる。
【符号の説明】
【０１７３】
１…採光フィルム、２，９０２…第１基材（基材）、２ａ…第１面、２ｂ…第２面、３，３Ａ，３Ｂ…採光部、３ｄ，３ｅ…面（反射面）、１２ａ，１２１ａ…一面、１００…採光装置、ｓ…隣り合う採光部どうしの間隔、ｕ…隣り合う第１凹部どうしの間隔、Ｗ…採光部の幅、３００…採光部材、３０１…ロールスクリーン（採光装置）、３０３…巻き取り機構、３０４…巻芯（支持部材）、３０５…下パイプ（支持部材）、４０１…ブラインド（採光装置）、４０８…収納機構、２００７…室内照明装置、２０１０…採光装置
【図１】
2018008656.tif 000009
【図２】
2018008656.tif 000010
【図３】
2018008656.tif 000011
【図４】
2018008656.tif 000012
【図５Ａ】
2018008656.tif 000013
【図５Ｂ】
2018008656.tif 000014
【図５Ｃ】
2018008656.tif 000015
【図５Ｄ】
2018008656.tif 000016
【図６】
2018008656.tif 000017
【図７】
2018008656.tif 000018
【図８】
2018008656.tif 000019
【図９】
2018008656.tif 000020
【図１０】
2018008656.tif 000021
【図１１】
2018008656.tif 000022
【図１２】
2018008656.tif 000023
【図１３】
2018008656.tif 000024
【図１４】
2018008656.tif 000025
【図１５】
2018008656.tif 000026
【図１６】
2018008656.tif 000027
【図１７Ａ】
2018008656.tif 000028
【図１７Ｂ】
2018008656.tif 000029
【図１８】
2018008656.tif 000030
【図１９】
2018008656.tif 000031
【図２０Ａ】
2018008656.tif 000032
【図２０Ｂ】
2018008656.tif 000033
【図２１】
2018008656.tif 000034
【図２２Ａ】
2018008656.tif 000035
【図２２Ｂ】
2018008656.tif 000036
【図２２Ｃ】
2018008656.tif 000037
【図２２Ｄ】
2018008656.tif 000038
【図２３Ａ】
2018008656.tif 000039
【図２３Ｂ】
2018008656.tif 000040
【図２３Ｃ】
2018008656.tif 000041
【図２３Ｄ】
2018008656.tif 000042
【図２３Ｅ】
2018008656.tif 000043
【図２３Ｆ】
2018008656.tif 000044
【図２４】
2018008656.tif 000045
【図２５】
2018008656.tif 000046
【図２６】
2018008656.tif 000047
【図２７】
2018008656.tif 000048
【図２８】
2018008656.tif 000049
【図２９】
2018008656.tif 000050
【図３０】
2018008656.tif 000051
【図３１】
2018008656.tif 000052
【図３２】
2018008656.tif 000053
【図３３】
2018008656.tif 000054
【図３４】
2018008656.tif 000055
【図３５Ａ】
2018008656.tif 000056
【図３５Ｂ】
2018008656.tif 000057
【図３６】
2018008656.tif 000058
【図３７】
2018008656.tif 000059
【図３８】
2018008656.tif 000060
【図３９】
2018008656.tif 000061
【図４０】
2018008656.tif 000062
【図４１】
2018008656.tif 000063
【国際調査報告】
2018008656.tif 000064
2018008656.tif 000065
2018008656.tif 000066
2018008656.tif 000067